(57)【要約】      （修正有）【課題】曲げ荷重や引張荷重が負荷された際、隅部のＦＲＰオーバーレイの剥離を防止することができるＦＲＰサンドイッチパネルの交差部構造を提供する。【解決手段】ＦＲＰサンドイッチパネル１、２の交差部における隅部Ａ、Ｂは、三角柱状の木材又は発泡プラスチック等からなる芯材と、芯材の周囲を包囲するＧＦＲＰ布部分とから形成されたＦＲＰコーナー部材３ａ、３ｂが設置され、ＦＲＰサンドイッチパネル１、２の側面の所定範囲とＦＲＰコーナー部材３ａ、３ｂとを覆うＦＲＰ布４ａ、４ｂによって、オーバーレイして接着が図られている。【選択図】図１
2010221487.tif 000002
【特許請求の範囲】
【請求項１】
一方のＦＲＰ（繊維強化プラスチック）パネルの側面に他方のＦＲＰ（繊維強化プラスチック）パネルの端面が当接して形成される交差部におけるＦＲＰサンドイッチパネルの交差部構造であって、
前記交差部の隅の所定範囲に当接する断面略三角形状のコーナー部材をＦＲＰ布によって包囲し、該ＦＲＰ布によって包囲されたコーナー部材を前記交差部の隅に配置して、斜面をそれぞれ前記一対のＦＲＰパネルのそれぞれの側面に接着し、さらに、前記一対のＦＲＰパネルのそれぞれの側面の所定範囲と前記コーナー部材の底面とを覆うＦＲＰオーバーレイを施してなることを特徴とするＦＲＰサンドイッチパネルの交差部構造。
【請求項２】
前記コーナー部材が、それぞれＦＲＰ布によって包まれた断面略三角形状の複数の心材片によって形成されることを特徴とする請求項１記載のＦＲＰサンドイッチパネルの交差部構造。
【請求項３】
前記複数の心材片のうち少なくとも１の心材片を包むＦＲＰ布が延長布面を有し、該延長布面が前記一方のＦＲＰパネルの側面と前記他方のＦＲＰパネルの端面とによって挟まれることを特徴とする請求項１または２記載のＦＲＰサンドイッチパネルの交差部構造。
【請求項４】
前記交差部の隅に配置されたコーナー部材は、前記隅から遠い縁部が面取り加工され、該面取りされた後でＦＲＰ布によって包囲され、前記交差部の隅に配置された状態で前記面取りされた範囲にパテが充填されることを特徴とする請求項１乃至３の何れかに記載のＦＲＰサンドイッチパネルの交差部構造。
【請求項５】
前記交差部の角を跨いで、前記一対のＦＲＰパネルのそれぞれの側面の所定範囲に、ＦＲＰオーバーレイが施されることを特徴とする請求項１乃至４の何れかに記載のＦＲＰサンドイッチパネルの交差部構造。
【発明の詳細な説明】
【技術分野】
【０００１】
本発明はＦＲＰサンドイッチパネルの交差部構造、特に、船舶の船穀材、プラント容器および建築パネル等の構造材を形成するＦＲＰサンドイッチパネルを相互に接合する交差部構造における、ＦＲＰサンドイッチパネルの交差部構造に関する。
【背景技術】
【０００２】
従来のＦＲＰサンドイッチパネルの交差部構造は、ＦＲＰサンドイッチパネル相互をＬ型、Ｔ型に組み合わせ樹脂接合し例えば船穀材を製造するものであって、たとえば、ロイドやＡＢＳ等の船級規則等に推奨する構造、形状、寸法が規定されている。特に、ＦＲＰサンドイッチパネル相互が交差する交差部（継手部に相等する）が形成される隅部には十分なＲ形状を付すためのパテを貼付けたり、断面三角形のフォーム材を接着してから、ＦＲＰのオーバーレイをするよう規定されている。
【０００３】
一方、ＦＲＰ板に撓み防止および強度向上のためのハット型断面の防撓材を設置し、ＦＲＰ板と防撓材との間に、ＦＲＰからなる補強部材を設けた発明が開示されている（例えば、特許文献１参照）。
【先行技術文献】
【特許文献】
【０００４】
【特許文献１】特開２００６−８９０１３号公報（４頁〜７頁、図１）
【発明の概要】
【発明が解決しようとする課題】
【０００５】
しかしながら特許文献１に開示された発明は、ＦＲＰ板と防撓材の心材との接着技術であって、ＦＲＰ板相互の接着技術が開示されていない。
また、ＦＲＰサンドイッチパネルをＬ型、Ｔ型に相互に接合して船穀材等の構造材（交差部構造に同じ）を製作する際、継手強度上の弱点として、継手を形成するＦＲＰサンドイッチパネル間に曲げ荷重や引張荷重が負荷された際、隅部のＦＲＰオーバーレイが剥離し易いという問題があった。
この継手部の曲げ強度は、オーバーレイ接着部の剥離強度により限定されるものの、ＦＲＰオーバーレイに使用する樹脂の接着力には限界があるため、剥離に対する強度対策は困難を極めるという問題があった。
【０００６】
本発明は前記問題を解決するものであって、ＦＲＰサンドイッチパネル間に曲げ荷重や引張荷重が負荷された際、隅部のＦＲＰオーバーレイの剥離を防止することができるＦＲＰサンドイッチパネルの交差部構造を提供することを目的とする。  
【課題を解決するための手段】
【０００７】
（１）本発明に係るＦＲＰサンドイッチパネルの交差部構造は、一方のＦＲＰ（繊維強化プラスチック）パネルの側面に他方のＦＲＰ（繊維強化プラスチック）パネルの端面が当接して形成される交差部におけるものであって、
前記交差部の隅の所定範囲に当接する断面略三角形状のコーナー部材をＦＲＰ布によって包囲し、該ＦＲＰ布によって包囲されたコーナー部材を前記交差部の隅に配置して、斜面をそれぞれ前記一対のＦＲＰパネルのそれぞれの側面に接着し、さらに、前記一対のＦＲＰパネルのそれぞれの側面の所定範囲と前記コーナー部材の底面とを覆うＦＲＰオーバーレイを施してなることを特徴とする。
【０００８】
（２）また、前記（１）において、前記コーナー部材が、それぞれＦＲＰ布によって包まれた断面略三角形状の複数の心材片によって形成されることを特徴とする。
（３）また、前記（１）または（２）において、前記複数の心材片のうち少なくとも１の心材片を包むＦＲＰ布が延長布面を有し、該延長布面が前記一方のＦＲＰパネルの側面と前記他方のＦＲＰパネルの端面とによって挟まれることを特徴とする。
【０００９】
（４）また、前記（１）乃至（３）の何れかにおいて、前記交差部の隅に配置されたコーナー部材は、前記隅から遠い縁部が面取り加工され、該面取りされた後でＦＲＰ布によって包囲され、前記交差部の隅に配置された状態で前記面取りされた範囲にパテが充填されることを特徴とする。
（５）さらに、前記交差部の角を跨いで、前記一対のＦＲＰパネルのそれぞれの側面の所定範囲に、ＦＲＰオーバーレイが施されることを特徴とする。
【発明の効果】
【００１０】
（ｉ）本発明は、ＦＲＰ布で包まれたＦＲＰコーナー部材を、当接部の隅（凹部側）に設置して、これを跨いでＦＲＰオーバーレイが施されるから、交差部のＦＲＰオーバーレイの剥離が防止できる強度を得ることができる。すなわち、ＦＲＰオーバーレイに、これを剥がそうとする力が作用しても、かかる力はＦＲＰコーナー部材を包むＦＲＰ布によって分散（低減９）される。これによって、ＦＲＰコーナー材は、強度向上に寄与する構造体とみなされるから、ＦＲＰオーバーレイの剥離強度が向上し、交差部（継手）の引張強度や曲げ強度が向上する。
【００１１】
（ｉｉ）また、コーナー部材がそれぞれＦＲＰ布によって包まれた複数の心材片によって形成されるから、それぞれの心材片に挟まれたＦＲＰ布が、ＦＲＰオーバーレイを剥がそうとする力の分散（低減）に寄与するから、ＦＲＰオーバーレイの剥離強度がさらに向上し、交差部（継手）の引張強度や曲げ強度がさらに向上する。
（ｉｉｉ）また、心材片を包むＦＲＰ布の延長布面が、一対のＦＲＰパネルに挟まれるから、延長布面の一方が一対のＦＲＰパネルによって堅固に端されている。したがって、ＦＲＰオーバーレイを剥がそうとする力のうち、延長布面が負担する分力は確実に支持されるから、ＦＲＰオーバーレイの剥離強度がさらに向上し、交差部（継手）の引張強度や曲げ強度がさらに向上する。
【００１２】
（ｉｖ）また、コーナー部材の交差部の隅から遠い縁部に面取り加工され、この範囲にパテが充填されるから、ＦＲＰオーバーレイの剥離強度がさらに向上し、交差部（継手）の引張強度や曲げ強度がさらに向上する。
（ｖ）さらに、交差部の角（凸部側）を跨いで、一対のＦＲＰパネルのそれぞれの側面にＦＲＰオーバーレイが施されるから、交差部は両側（隅および角）において補強され、ＦＲＰオーバーレイの剥離強度がさらに向上し、交差部（継手）の引張強度や曲げ強度がさらに向上する。
【図面の簡単な説明】
【００１３】
【図１】本発明の実施の形態１に係るＦＲＰサンドイッチパネルの交差部構造を説明する断面図。
【図２】図１に示すＦＲＰサンドイッチパネルの交差部構造の構成部材の一部を示す斜視図。
【図３】本発明の実施の形態２に係るＦＲＰサンドイッチパネルに付した防撓材断面により交差部構造を説明する断面図。
【図４】図３に示すＦＲＰサンドイッチパネルの交差部構造の構成部材の一部を拡大して示す断面図。
【図５】本発明の実施の形態３に係るＦＲＰサンドイッチパネルの交差部構造を説明する断面図。
【図６】図５に示すＦＲＰサンドイッチパネルの交差部構造の構成部材の一部を示す斜視図。
【図７】図５に示すＦＲＰサンドイッチパネルの交差部構造の一部を拡大して示す断面図。
【図８】図５に示すＦＲＰサンドイッチパネルの交差部構造における力の取り合いを示す断面図。
【図９】図５に示すＦＲＰサンドイッチパネルの交差部構造における力の取り合いを拡大して示す断面図。
【図１０】本発明の実施の形態４に係るＦＲＰサンドイッチパネルの交差部構造を説明する断面図。
【図１１】本発明の実施の形態５に係るＦＲＰサンドイッチパネルの交差部構造を説明する断面図。
【図１２】図５に示すＦＲＰサンドイッチパネルの交差部構造に対する比較交差部を例示する断面図。
【発明を実施するための形態】
【００１４】
［実施の形態１］
図１および図２は、本発明の実施の形態１に係るＦＲＰサンドイッチパネルの交差部構造を説明するものであって、図１は断面図、図２は構成部材の一部を示す斜視図である。なお、図１、２は模式的に描くものであって、部材の相対的な大きさ（厚さ）は誇張されている。
図１において、ＦＲＰサンドイッチパネルの交差部構造（以下「Ｔ字状交差部」と称す）１００は、一方の第１ＦＲＰサンドイッチパネル１の側面に、他方の第２ＦＲＰサンドイッチパネル２の端面を突き合わせて、Ｔ字状に組み立てている。
そして、かかる突き合わせによって形成される一対の隅部Ａおよび隅部Ｂに、それぞれ略三角断面のＦＲＰコーナー部材３ａおよびＦＲＰコーナー部材３ｂが設置されている。
【００１５】
そして、隅部Ａにおいては、第１ＦＲＰサンドイッチパネル１の一方の側面１ａの所定範囲、ＦＲＰコーナー部材３ａおよび第２ＦＲＰサンドイッチパネル２の一方の側面２ａの所定範囲を覆うＦＲＰ布４ａによって、オーバーレイして接着が図られている。同様に、隅部Ｂにおいては、第１ＦＲＰサンドイッチパネル１の一方の側面１ａの所定範囲、ＦＲＰコーナー部材３ｂおよび第２ＦＲＰサンドイッチパネル２の他方の側面２ｂの所定範囲を覆うＦＲＰ布４ｂによって、オーバーレイして接着が図られている。なお、以下の説明において、同じ内容においては添え字「ａ、ｂ」の記載を省略する。
【００１６】
図２において、ＦＲＰコーナー部材３は、三角柱状の木材ないし発泡プラスチック等からなる芯材３３と、芯材３３の周囲を包囲するＧＦＲＰ布部分３１、３２、３４とから形成されている。なお、ＧＦＲＰ布部分３１、３２、３４は便宜状の称呼であって、それぞれ共通のＧＦＲＰを１枚または複数枚を巻回している。
すなわち、ＧＦＲＰ布部分３１は第１ＦＲＰサンドイッチパネル１に設置され、ＧＦＲＰ布部分３２は第２ＦＲＰサンドイッチパネル２に設置され、ＧＦＲＰ布部分３４にはＦＲＰ布４がオーバーレイして接着している。
【００１７】
なお、以上は、面材である第１ＦＲＰサンドイッチパネル１と第２ＦＲＰサンドイッチパネル２とが直角に交差しているＴ字状交差部１００について説明しているが、本発明はこれに限定するものではなく、第１ＦＲＰサンドイッチパネル１と第２ＦＲＰサンドイッチパネル２とが傾いて交差する（直角に交差しない）「ト字状交差部」であってもよい。
【００１８】
［実施の形態２］
図３および図４は、本発明の実施の形態２に係るＦＲＰサンドイッチパネルに付した防撓材断面により交差部構造を説明するものであって、図３は断面図、図４は構成部材の一部を拡大して示す断面図である。なお、実施の形態１と同じ部分または相等する部分には同じ符号を付し、一部の説明を省略する。
図３において、ＦＲＰサンドイッチパネルの交差部構造（以下「Ｔ字状交差部」と称す）２００は、面材である第１ＦＲＰサンドイッチパネル１に、スティフナー（防撓材に同じ）９が直角に交差している。このとき、形成される一対の隅部Ａおよび隅部Ｂに、それぞれ略三角断面のＦＲＰコーナー部材３ａおよびＦＲＰコーナー部材３ｂが設置されている。なお、以下の説明において、同じ内容においては添え字「ａ、ｂ」の記載を省略する。
【００１９】
ＦＲＰコーナー部材３は、鋭角の角部に面取りが施された略三角柱状の木材ないし発泡プラスチック等からなる芯材３３と、芯材３３の周囲を包囲するＧＦＲＰ布部分３１、３２、３４、３５とから形成されている。
そして、隅部Ａにおいては、第１ＦＲＰサンドイッチパネル１の一方の側面１ａの所定範囲、ＦＲＰコーナー部材３ａおよびスティフナー９の一方の側面９ａの所定範囲を覆うＦＲＰ布４ａによって、オーバーレイして接着が図られている。このとき、芯材３３ａの面取り部に相等する、ＧＦＲＰ布部分３１とＦＲＰ布４ａの一部と側面１ａの一部とから形成される三角柱状の空間には、パテ５ａが充填されている。すなわち、当該空間にパテ５が充填された状態で、オーバーレイして接着が図られている。
【００２０】
また、隅部Ｂにおいても同様であって、芯材３３ｂの面取り部にはパテ５ｂが充填され、所定範囲を覆うＦＲＰ布４ｂによって、オーバーレイして接着が図られている。
なお、ＦＲＰ布４ａおよびＦＲＰ布４ｂは、それぞれ複数枚のＦＲＰシートを重ねたものであって、それぞれを形成するＦＲＰシートがスティフナー９の頂面９ｃにおいて交互に重なったものを示しているが、本発明はこれに限定するものではなく、ＦＲＰ布４ａおよびＦＲＰ布４ｂを、共通のＦＲＰシートを複数枚重ねて形成してもよい。
【００２１】
図４において、ＦＲＰコーナー部材３の端部隙間（面取り部によって形成された空間）にはパテ５が充填され、パテ５がＦＲＰ布４の一部と側面１ａとを接合している。このため、ＦＲＰ布４に引張力Ｆ４（矢印方向）が作用しても剥離反力Ｆ１が発生するから、ＦＲＰ布４は側面１ａから剥離し難くなっている（芯材３３が側面１ａから浮き上がり難くなっている）。
【００２２】
［実施の形態３］
図５〜図９は、本発明の実施の形態３に係るＦＲＰサンドイッチパネルの交差部構造を説明するものであって、図５は断面図、図６は構成部材の一部を示す斜視図、図７は一部を拡大して示す断面図、図８は力の取り合いを示す断面図、図９は力の取り合いを拡大して示す断面図である。なお、実施の形態１と同じ部分または相等する部分には同じ符号を付し、一部の説明を省略する。
図５において、ＦＲＰサンドイッチパネルの交差部構造（以下「Ｌ字状交差部」と称す）３００は、面材である第１ＦＲＰサンドイッチパネル１の側端部の側面に、面材である第２ＦＲＰサンドイッチパネル２の端面を突き合わせて、Ｌ字状に組み立てている。
【００２３】
そして、隅部Ａに、一対の略三角断面のＦＲＰコーナー部材片６およびＦＲＰコーナー部材片７が設置され、これを覆うように、第１ＦＲＰサンドイッチパネル１の一方の側面１ａの所定範囲から、第２ＦＲＰサンドイッチパネル２の一方の側面２ａの所定範囲がＦＲＰ布４によってオーバーレイされている。また、角部Ｃは、第１ＦＲＰサンドイッチパネル１の他方の側面１ｂの所定範囲および端面１ｃと、第２ＦＲＰサンドイッチパネル２の他方の側面２ｂの所定範囲とが、ＦＲＰ布８によってオーバーレイされている。
【００２４】
すなわち、Ｌ字状交差部３００は、隅部Ａと角部Ｃとの両方がＦＲＰ布４、８によってオーバーレイされ一体接着化が図られている。
図６において、ＦＲＰコーナー部材片６は、三角柱状の木材ないし発泡プラスチック等からなる芯材６６と、芯材６６の２面にそれぞれＧＦＲＰ布部分６４、６７が設置されている。
また、ＦＲＰコーナー部材片７は、三角柱状の木材ないし発泡プラスチック等からなる芯材７７と、芯材７７の２面にそれぞれＧＦＲＰ布部分７４、７６が設置され、ＧＦＲＰ布部分７６に芯材７７から離れたＧＦＲＰ布部分７２（延長布面に相等する）が延設されている。
【００２５】
図７において、ＦＲＰコーナー部材片６のＧＦＲＰ布部分６７とＦＲＰコーナー部材片７のＧＦＲＰ布部分７６とが当接して一体化され、ＦＲＰコーナー部材片７のＧＦＲＰ布部分７２が、第１ＦＲＰサンドイッチパネル１の一方の側面１ａと第２ＦＲＰサンドイッチパネル２の端面２ｃとに挟まれている。
なお、以上は、面材である第１ＦＲＰサンドイッチパネル１と第２ＦＲＰサンドイッチパネル２とが直角に交差しているＬ字状交差部３００について説明しているが、本発明はこれに限定するものではなく、第１ＦＲＰサンドイッチパネル１と第２ＦＲＰサンドイッチパネル２とが傾いて交差する（直角に交差しない）「Ｖ字状交差部」であってもよい。
【００２６】
図８において、Ｌ字状交差部３００に隅部Ａを開かせようとする力Ｍ２（第１ＦＲＰサンドイッチパネル１を固定側としたとき、第２ＦＲＰサンドイッチパネル２を倒そうとするモーメントに同じ）が作用したとき、隅部Ａのオーバーレイ用のＦＲＰ布４にはこれを形成するＦＲＰシート（図示しない）の面方向の引張力Ｆ４が発生する。
このとき、ＦＲＰコーナー部材片６のＧＦＲＰ布部分６４とＦＲＰ布４とが一体化した範囲と、ＦＲＰコーナー部材片７のＧＦＲＰ布部分７４とＦＲＰ布４とが一体化した範囲と、ＦＲＰコーナー部材片６のＧＦＲＰ布部分６７とＦＲＰコーナー部材片７のＧＦＲＰ布部分７６と一体化した範囲とは、略Ｙ字状に交差している。
【００２７】
そのため、ＦＲＰコーナー部材片６のＧＦＲＰ布部分６４とＦＲＰ布４とが一体化した範囲に発生した引張力Ｆ６４（≒Ｆ４）は、ＦＲＰコーナー部材片７のＧＦＲＰ布部分７４とＦＲＰ布４とが一体化した範囲に発生する引張力Ｆ７４と、ＦＲＰコーナー部材片６のＧＦＲＰ布部分６７とＦＲＰコーナー部材片７のＧＦＲＰ布部分７６と一体化した範囲に発生する引張力Ｆ７６とに分解される。
このとき、ＦＲＰコーナー部材片７のＧＦＲＰ布部分７６にはＧＦＲＰ布部分７２が延設され、ＧＦＲＰ布部分７２の端部が角部Ｃを覆うＦＲＰ布８に接続しているから、分解された引張力Ｆ７６は確実に支持されている。このため、ＦＲＰ布４を側面１ａから剥がそうとする剥離反力Ｆ１は小さくなるから、剥がれ難くなる。
【００２８】
すなわち、オーバーレイの接着部に生じている剥離荷重を分担することによって、発生する剥離反力が低減しているから、剥離強度が向上し、継手の引張強度や曲げ強度が向上している。
なお、図１２には、隅部Ａに三角柱状の木材ないし発泡プラスチック等からなる芯材３３のみを配置して、これを覆うＦＲＰ布４をオーバーレイして接着した比較交差部９００を示している。すなわち、比較交差部９００では、ＦＲＰ布４に引張力Ｆ４（矢印方向）が作用した際に発生する剥離反力Ｆ１が、分散されることがないから、ＦＲＰ布４は側面１ａから剥離して、芯材３３が側面１ａから浮き上がっている。
【００２９】
［実施の形態４］
図１０は、本発明の実施の形態４に係るＦＲＰサンドイッチパネルの交差部構造を説明する断面図である。
図１０において、ＦＲＰサンドイッチパネルの交差部構造４００は、Ｌ字状交差部３００（実施の形態３）をＴ字状交差部１００（実施の形態１）に適用したものであるから、第１ＦＲＰサンドイッチパネル１を固定側としたとき、第２ＦＲＰサンドイッチパネル２を倒そうとする一方向および他方向のモーメントに対して、オーバーレイの接着部に生じている剥離荷重が分担され、隅部Ａおよび隅部Ｂにおいて剥離強度が向上し、継手の引張強度や曲げ強度が向上している。なお、実施の形態１および実施の形態３と同じ部分または相等する部分には同じ符号を付し、一部の説明を省略する。
【００３０】
ＦＲＰコーナー部材片７ａのＧＦＲＰ布部分７６ａにはＧＦＲＰ布部分７２ａが延設され、ＦＲＰコーナー部材片７ｂのＧＦＲＰ布部分７６ｂにはＧＦＲＰ布部分７２ｂが延設され、ＧＦＲＰ布部分７２ａとＧＦＲＰ布部分７２ｂは一体に接合されている。
このとき、ＦＲＰコーナー部材片７ａに設置されるＧＦＲＰ布部分７４ａ、７６ａ、７２ａおよびＦＲＰコーナー部材片７ｂに設置されるＧＦＲＰ布部分７４ｂ、７６ｂ、７２ｂの全域を、共通の複数枚のＧＦＲＰシートを積層して形成してもよく、あるいは、所定範囲を部分的に積層しながら、部分間の繋ぎ範囲を交互に重ねるようにしてもよい。
【００３１】
［実施の形態５］
図１１は、本発明の実施の形態５に係るＦＲＰサンドイッチパネルの交差部構造を説明する断面図である。
図１１において、ＦＲＰサンドイッチパネルの交差部構造５００は、Ｌ字状交差部４００（実施の形態４）をＴ字状交差部２００（実施の形態２）に適用したものであるから、第１ＦＲＰサンドイッチパネル１を固定側としたとき、スティフナー９を倒そうとする一方向および他方向のモーメントに対して、オーバーレイの接着部に生じている剥離荷重が分担され、隅部Ａおよび隅部Ｂにおいて剥離強度が向上し、継手の引張強度や曲げ強度が向上している。なお、実施の形態４および実施の形態２と同じ部分または相等する部分には同じ符号を付し、一部の説明を省略する。
【産業上の利用可能性】
【００３２】
本発明のＦＲＰサンドイッチパネルの交差部構造は、交差部の引張強度や曲げ強度が向上するから、ＦＲＰ製の船穀材、プラント容器または建築パネル等の広い分野において広く利用することができる。  
【符号の説明】
【００３３】
１ 第１ＦＲＰサンドイッチパネル
２ 第２ＦＲＰサンドイッチパネル
３ コーナー部材
４ ＦＲＰ布（オーバーレイ用）
５ パテ
６ コーナー部材片
７ コーナー部材片
８ ＦＲＰ布（オーバーレイ用）
９ スティフナー
３１ ＧＦＲＰ布部分
３２ ＧＦＲＰ布部分
３３ 芯材
３４ ＧＦＲＰ布部分
６４ ＧＦＲＰ布部分
６６ 芯材
６７ ＧＦＲＰ布部分
７２ ＧＦＲＰ布部分
７４ ＧＦＲＰ布部分
７６ ＧＦＲＰ布部分
７７ 芯材
１００ Ｔ字状交差部（実施の形態１）
２００ Ｔ字状交差部（実施の形態２）
３００ Ｌ字状交差部（実施の形態３）
４００ Ｔ字状交差部（実施の形態４）
５００ Ｔ字状交差部（実施の形態５）
９００ 比較交差部
Ａ 隅部
Ｂ 隅部
Ｃ 角部
Ｆ１ 剥離反力
Ｆ４ 引張力
Ｆ６４ 引張力
Ｆ７６ 引張力
Ｆ７４ 引張力
【図１】
2010221487.tif 000003
【図２】
2010221487.tif 000004
【図３】
2010221487.tif 000005
【図４】
2010221487.tif 000006
【図５】
2010221487.tif 000007
【図６】
2010221487.tif 000008
【図７】
2010221487.tif 000009
【図８】
2010221487.tif 000010
【図９】
2010221487.tif 000011
【図１０】
2010221487.tif 000012
【図１１】
2010221487.tif 000013
【図１２】
2010221487.tif 000014